(57)【要約】【課題】建物の床の外周部側に開口部が形成されている場合においても、建物の内側から外側へのカーテンウォールの吊り出しを可能にするカーテンウォール吊り出し装置を提供する。【解決手段】床４の外周部Ｔ１側に開口部５が形成された建物Ｔの外周部Ｔ１に設置するカーテンウォール１を、上端１ａ側を吊り上げながら建物Ｔの内側Ｔ２から外側Ｔ３に吊り出す際に用いるカーテンウォール吊り出し装置Ａであって、開口部５上に掛け渡して配置される吊り出し構台１０と、吊り出し構台１０上を走行して、上載したカーテンウォール１を建物Ｔの内側Ｔ２から外側Ｔ３に向けて搬送する搬送台車１１とを備えており、吊り出し構台１０が、開口部５を間に建物Ｔの外周部Ｔ１側と内側Ｔ２に支持されて開口部５上に掛け渡される掛け渡し構台部１３と、建物Ｔの外周部Ｔ１から外側Ｔ３に延設されるはね出し構台部１４とを備える。【選択図】図１
2008280708.tif 000002
【特許請求の範囲】
【請求項１】
床の外周部側に開口部が形成された建物の前記外周部に設置するカーテンウォールを、上端側を吊り上げながら前記建物の内側から外側に吊り出す際に用いるカーテンウォール吊り出し装置であって、
前記開口部上に掛け渡して配置される吊り出し構台と、前記吊り出し構台上を走行して、上載した前記カーテンウォールを前記建物の内側から外側に向けて搬送する搬送台車とを備えており、
前記吊り出し構台が、前記開口部を間に前記建物の外周部側と内側に支持されて前記開口部上に掛け渡される掛け渡し構台部と、前記建物の外周部から外側に延設されるはね出し構台部とを備えることを特徴とするカーテンウォール吊り出し装置。
【請求項２】
請求項１記載のカーテンウォール吊り出し装置において、
前記吊り出し構台に、前記搬送台車を前記建物の内側から外側に向けて走行させるためのガイド部が設けられていることを特徴とするカーテンウォール吊り出し装置。
【請求項３】
請求項１または請求項２に記載のカーテンウォール吊り出し装置において、
前記吊り出し構台が、前記掛け渡し構台部の上面と前記建物の内側の床面を滑らかに繋ぐスロープ構台部を備えることを特徴とするカーテンウォール吊り出し装置。
【請求項４】
請求項１から請求項３のいずれかに記載のカーテンウォール吊り出し装置において、
前記掛け渡し構台部に、掛け渡し方向に伸縮あるいは水平方向に回転及び／又は伸縮して張出可能なアウトリガーが設けられ、該アウトリガーによって前記掛け渡し構台部が支持されることを特徴とするカーテンウォール吊り出し装置。
【発明の詳細な説明】
【技術分野】
【０００１】
本発明は、例えばオフィスビルなどの建物の外周部にカーテンウォールを設置する際に用いるカーテンウォール吊り出し装置に関する。
【背景技術】
【０００２】
従来、例えば中・高層ビルなどの非耐力壁（外壁）として、デザインの自由度が高いうえ、施工の効率化を図ることができるなどの多くの利点を有することからカーテンウォールが多用されている。また、加工性、施工性に優れるとともに軽量化を図れることからアルミニウム製のカーテンウォール（アルミカーテンウォール）が多用されている。
【０００３】
そして、このアルミカーテンウォール１を建物Ｔの外周部Ｔ１に設置する際には、例えば図１７に示すように、複数のアルミカーテンウォール１を梱包した図示せぬラックを現場に搬入し、工事用エレベータなどによってアルミカーテンウォール１の取付階（吊り出し階Ｆ１）に搬送する。ついで、ラックを開梱するとともにアルミカーテンウォール１を１枚ずつ取り出し、横倒し状態で台車２に載せて、例えばファスナー金物などを取り付ける。そして、台車２によってアルミカーテンウォール１を建物Ｔの外周部Ｔ１付近まで搬送し、上層階Ｆ２に配置した例えばミニクレーン（揚重機３）３ａによって上端１ａ側を吊り上げながら建物Ｔの内側Ｔ２から外側Ｔ３にアルミカーテンウォール１を吊り出す。このとき、上端１ａ側を吊り上げてアルミカーテンウォール１を垂直に立てるように徐々に傾斜させるとともに下端１ｂ側を台車２（２ａ）で支持させ、この台車２（２ａ）をアルミカーテンウォール１の傾斜に応じて順次建物Ｔの外周部Ｔ１側に移動（走行）させることで、アルミカーテンウォール１を外側Ｔ３に移動させて吊り出す。このようにして建物Ｔの外側Ｔ３に吊り出したアルミカーテンウォール１は、外周部（外周面）Ｔ１に沿って垂直に吊り下げられ、ミニクレーン３ａで所定位置に配置するとともにファスナー金物などで外周部Ｔ１に固定し設置される。
【０００４】
しかしながら、例えば図１８に示すように、建物Ｔの外周部Ｔ１側にエレベータなどが配置され、床４の外周部Ｔ１側に上層階と下層階を連通させるようにエレベータシャフト部などの開口部５が形成されている場合がある。そして、このような開口部５を備えた建物Ｔにアルミカーテンウォール１を設置する場合には、開口部５によってミニクレーン３ａを外周部Ｔ１側に近づけることができず、また、吊り出し時にアルミカーテンウォール１の下端１ｂ側を支持する台車２（２ａ）を外周部Ｔ１側に移動させることができず、アルミカーテンウォール１を建物Ｔの外側Ｔ３に吊り出すことができないという問題があった。
【０００５】
一方、例えば図１９に示すように、上層階にテルハクレーン（揚重機３）３ｂを建物Ｔの外側Ｔ３に張出状態で設置し、このテルハクレーン３ｂを用いてアルミカーテンウォール１の吊り出しを行う場合もある。そして、このようなテルハクレーン３ｂを用いて吊り出しを行う場合には、建物Ｔの外側Ｔ３に張出状態で設置されているため、外周部Ｔ１側に開口部５が形成されていてもアルミカーテンウォール１の上端１ａ側を吊り上げることができうる反面、開口部５によってアルミカーテンウォール１の下端１ｂ側を支持する台車２（２ａ）が外周部Ｔ１側に移動できないため、やはりアルミカーテンウォール１を建物Ｔの外側Ｔ３に吊り出すことができないという問題があった。
【０００６】
これに対し、例えば特許文献１に開示されたアルミカーテンウォールの取付工法では、下層階の外周部に隣接させて仮設した仮組立架台でアルミカーテンウォールを地組みし、アルミカーテンウォールを、水平吊具を以てタワークレーンにより吊り上げて建て込むようにしている。これにより、アルミカーテンウォールの取付作業がほぼ全て建物の外側で行われるため、外周部側に開口部が形成されている場合においてもアルミカーテンウォールを確実に取り付けることができる。
【特許文献１】特開平６−１８００３４号公報
【発明の開示】
【発明が解決しようとする課題】
【０００７】
しかしながら、特許文献１に開示されたアルミカーテンウォールの取付工法においては、仮組立架台やタワークレーンなどの大掛かりな設備を要し、また、これら仮組立架台やタワークレーンを設置するためのスペースを確保する必要があり、施工性や経済性に問題が生じるとともに、建物の立地条件などに柔軟に対応できないという問題があった。このため、建物の床の外周部側に開口部が形成されている場合においても、従来のように建物の内側から外側に吊り出してアルミカーテンウォールを設置できるようにすることが強く望まれていた。
【０００８】
本発明は、上記事情を鑑み、建物の床の外周部側に開口部が形成されている場合においても、建物の内側から外側へのカーテンウォールの吊り出しを可能にするカーテンウォール吊り出し装置を提供することを目的とする。
【課題を解決するための手段】
【０００９】
上記の目的を達するために、この発明は以下の手段を提供している。
【００１０】
本発明のカーテンウォール吊り出し装置は、床の外周部側に開口部が形成された建物の前記外周部に設置するカーテンウォールを、上端側を吊り上げながら前記建物の内側から外側に吊り出す際に用いるカーテンウォール吊り出し装置であって、前記開口部上に掛け渡して配置される吊り出し構台と、前記吊り出し構台上を走行して、上載した前記カーテンウォールを前記建物の内側から外側に向けて搬送する搬送台車とを備えており、前記吊り出し構台が、前記開口部を間に前記建物の外周部側と内側に支持されて前記開口部上に掛け渡される掛け渡し構台部と、前記建物の外周部から外側に延設されるはね出し構台部とを備えることを特徴とする。
【００１１】
この発明においては、開口部上に掛け渡した吊り出し構台上を、カーテンウォールを上載した搬送台車が走行することで、カーテンウォールを建物の内側から外側に向けて搬送することができる。また、このとき、搬送台車に横倒し状態でカーテンウォールを上載し、建物の上層階に設置したテルハクレーンなどの揚重機でカーテンウォールの上端側を吊り上げて徐々に傾斜させるとともに、カーテンウォールの下端側を搬送台車で支持し、この搬送台車を順次外周部側に移動させることで、従来と同様にカーテンウォールを建物の外側に吊り出すことができる。
【００１２】
また、本発明のカーテンウォール吊り出し装置においては、前記吊り出し構台に、前記搬送台車を前記建物の内側から外側に向けて走行させるためのガイド部が設けられていることが望ましい。
【００１３】
この発明においては、吊り出し構台に設けられたガイド部に沿って搬送台車ひいてはカーテンウォールを移動させることができ、安定した状態で且つ確実にカーテンウォールを吊り出すことができる。
【００１４】
さらに、本発明のカーテンウォール吊り出し装置においては、前記吊り出し構台が、前記掛け渡し構台部の上面と前記建物の内側の床面を滑らかに繋ぐスロープ構台部を備えることがより望ましい。
【００１５】
この発明においては、建物の内側でカーテンウォールを搬送台車に載せ、この搬送台車を建物の床からスロープ構台部を介して円滑に吊り出し構台上に移動させる（配置する）ことができる。これにより、効率的にカーテンウォールの吊り出し作業を行うことが可能になる。
【００１６】
また、本発明のカーテンウォール吊り出し装置においては、前記掛け渡し構台部に、掛け渡し方向に伸縮あるいは水平方向に回転及び／又は伸縮して張出可能なアウトリガーが設けられ、該アウトリガーによって前記掛け渡し構台部が支持されることがさらに望ましい。
【００１７】
この発明においては、アウトリガーを収めた状態で掛け渡し構台部を開口部上に配置し、伸長及び／又は回転によって張出したアウトリガーで掛け渡し構台部を支持させ、吊り出し構台を開口部上に掛け渡して設置することができる。これにより、吊り出し構台の取扱性を向上させることができ、効率的に吊り出し構台の設置を行うことができるとともに、特に掛け渡し方向に伸縮するアウトリガーを備えた場合には、例えば幅（掛け渡し方向の幅）が異なる開口部にアウトリガーの延出長（伸長量）を調整することで柔軟に対応でき、確実に安定した状態で吊り出し構台（掛け渡し部）を開口部上に掛け渡すことが可能になる。
【発明の効果】
【００１８】
本発明のカーテンウォール吊り出し装置によれば、建物の床の外周部側に例えばエレベータシャフト部などの開口部が形成されている場合においても、確実にカーテンウォールを建物の内側から外側に吊り出すことができる。よって、従来のように大掛かりな設備を要することなくカーテンウォールを吊り出して設置することができ、施工性や経済性の向上を図ることが可能になる。
【発明を実施するための最良の形態】
【００１９】
以下、図１から図１５を参照し、本発明の一実施形態に係るカーテンウォール吊り出し装置について説明する。本実施形態は、床の外周部側にエレベータシャフト部などの開口部が形成された建物にアルミカーテンウォール（カーテンウォール）を設置する際に用いるカーテンウォール吊り出し装置に関するものである。
【００２０】
本実施形態のカーテンウォール吊り出し装置Ａは、図１及び図２に示すように、建物Ｔの床４の外周部Ｔ１側に形成された開口部５上に掛け渡して配置される吊り出し構台１０と、吊り出し構台１０上を走行して、上載したアルミカーテンウォール１を建物Ｔの内側Ｔ２から外側Ｔ３に向けて搬送する搬送台車１１とを備えて構成されている。
【００２１】
また、本実施形態の吊り出し構台１０は、開口部５上に掛け渡して配置した状態で、開口部５を間に建物Ｔの外周部Ｔ１側の梁部材などの主架構１２に一端１３ａ側が、建物Ｔの内側Ｔ２の床４に他端１３ｂ側が支持されて、開口部５上に掛け渡される掛け渡し構台部１３と、掛け渡し構台部１３の一端１３ａ側に設けられ、建物Ｔの外周部Ｔ１から外側Ｔ３に延設されたはね出し構台部１４と、掛け渡し構台部１３の他端１３ｂ側に設けられて建物Ｔの内側Ｔ２の床４上に配置されたスロープ構台部１５とで構成されている。また、本実施形態においては、掛け渡し構台部１３とはね出し構台部１４とスロープ構台部１５がそれぞれ分離して個別に形成されている。
【００２２】
本実施形態の掛け渡し構台部１３は、図１から図５に示すように、平行配置した同形同大の一対のガイド部材（長手部材）１３ｃを、これら一対のガイド部材１３ｃの延設方向（開口部５上に掛け渡した際の掛け渡し方向）Ｍに直交する方向に延設された複数の連結部材（短手部材）１３ｄで連結して、格子枠状に形成されている。また、各ガイド部材１３ｃには、上面に、下方に凹み、一端から他端まで延びる断面矩形状の溝１３ｅが形成されている。なお、詳細は後述するはね出し構台部１４及びスロープ構台部１５のガイド部材１４ａ、１５ａにそれぞれ形成された溝１４ｂ、１５ｂと、掛け渡し構台部１３のガイド部材１３ｃの溝１３ｅとによって、本実施形態におけるガイド部１６が構成されている。
【００２３】
さらに、本実施形態の掛け渡し構台部１３には、一対のガイド部材１３ｃの一端及び他端（掛け渡し構台部１３の一端１３ａ側及び他端１３ｂ側）にそれぞれ、前記延設方向Ｍに伸縮自在で張出可能なアウトリガー１７が設けられている。また、このアウトリガー１７は、伸長させるとともにガイド部材１３ｃの一端または他端から前記延設方向Ｍ外側に延出し、縮長させた状態でガイド部材１３ｃの内部に収容されるように構成されている。
【００２４】
はね出し構台部１４は、図１、図２、図６及び図７に示すように、作業者が乗ってアルミカーテンウォール１の建物Ｔの外側Ｔ３への吊り出し作業を行う矩形平盤状の作業台１４ｃと、作業台１４ｃ上の作業空間を囲むように設けられ、この作業台１４ｃに乗った作業者の安全を確保するための手すり１４ｄと、建物Ｔの外側Ｔ３の所定位置に配置した状態（図１及び図２に示した状態）で、掛け渡し構台部１３のガイド部材１３ｃの溝１３ｅを建物Ｔの外側Ｔ３に延長させるように形成された溝１４ｂを有するガイド部材１４ａとを備えて構成されている。また、はね出し構台部１４には、図１及び図７に示すように、作業台１４ｃの下面に車輪１４ｅが取り付けられており、本実施形態では、建物Ｔの外側Ｔ３の所定位置に配置した状態で、建物Ｔの外周部Ｔ１側に２つ、建物Ｔの外側Ｔ３に２つの計４つの車輪１４ｅが取り付けられている。なお、これら車輪１４ｅは、掛け渡し構台部１３の溝１３ｅ（ガイド部１６）に係合し、掛け渡し構台部１３上を溝１３ｅに沿ってはね出し構台部１４を走行（移動）させることができるように形成、配置されている。
【００２５】
スロープ構台部１５は、図１、図２、図８及び図９に示すように、平行配置した同形同大の一対のガイド部材１５ａを、これら一対のガイド部材１５ａの延設方向に直交する方向に延設された複数の連結部材１５ｃで連結して、格子枠状に形成されている。また、各ガイド部材１５ａは、上面が一端から他端に向かうに従い漸次下方に傾斜して側面視三角形状に形成されるとともに、この上面に、下方に凹み、一端から他端まで延びる断面矩形状の溝１５ｂが形成されている。これにより、スロープ構台部１５は、建物Ｔの内側Ｔ２の床４上に配置した状態で、ガイド部材１５ａの上面（溝１５ｂの底面）を介して、掛け渡し構台部１３の上面（溝１３ｅの底面）と建物Ｔの内側Ｔ２の床面４ａを滑らかに繋ぐように形成されている。
【００２６】
一方、本実施形態の搬送台車１１は、図１、図１０及び図１１に示すように、アルミカーテンウォール１を載置（上載）する平面視略矩形板状の載置台１１ａと、載置台１１ａの下面に取り付けられた複数の車輪１１ｂとを備えて構成されている。また、本実施形態では、車輪１１ｂが載置台１１ａの先端側と後端側にそれぞれ２つずつ並設されており、これら車輪１１ｂは、掛け渡し構台部１３、はね出し構台部１４、スロープ構台部１５のそれぞれに形成された溝１３ｅ、１４ｂ、１５ｂ、すなわち吊り出し構台１０のガイド部１６に係合し、吊り出し構台１０上を前記掛け渡し方向Ｍに沿って走行（移動）できるように形成、配置されている。
【００２７】
ついで、上記のカーテンウォール吊り出し装置Ａを用いてアルミカーテンウォール１を建物Ｔの内側Ｔ２から外側Ｔ３に吊り出し、建物Ｔの外周部Ｔ１に設置する方法について説明し、本実施形態のカーテンウォール吊り出し装置Ａの作用及び効果について説明する。
【００２８】
はじめに、図１２に示すように、アルミカーテンウォール１の吊り出し階Ｆ１の上方の上層階Ｆ２にミニクレーン３ａを配置する。ついで、アウトリガー１７を縮めてガイド部材１３ｃに収めた掛け渡し構台部１３上にはね出し構台部１４とスロープ構台部１５とを載せた状態の吊り出し構台１０を、開口部５を通じてミニクレーン３ａで吊り上げ、吊り出し階Ｆ１の開口部５上に配置する。このとき、アウトリガー１７がガイド部材１３ｃに収められて掛け渡し構台部１３の全長が小さく抑えられ、且つこの掛け渡し構台部１３上にはね出し構台部１４とスロープ構台部１５を載せて、吊り出し構台１０がコンパクトにまとめられた状態で開口部５上に搬送されるため、吊り出し構台１０の開口部５上への搬送、配置が容易に且つ効率的に行われる。
【００２９】
そして、このように吊り出し構台１０を吊り出し階Ｆ１の開口部５上に配置した段階で、図１３に示すように、掛け渡し構台部１３のアウトリガー１７を、開口部５の幅（開口部５の掛け渡し方向Ｍの幅）に応じた所定の延出長となるように伸ばし、掛け渡し構台部１３の一端１３ａ側のアウトリガー１７を建物Ｔの外周部Ｔ１側の主架構１２で、他端１３ｂ側のアウトリガー１７を建物Ｔの内側Ｔ２の床４で支持させ、開口部５上の所定位置に掛け渡し構台部１３を掛け渡して設置する。このとき、アウトリガー１７の延出長を調整することで掛け渡し構台部１３の掛け渡し方向Ｍの全長が自在に変えられるため、開口部５の大きさ、すなわち開口部５の掛け渡し方向Ｍの幅に柔軟に対応でき、確実に且つ効率的に掛け渡し構台部１３を設置できる。
【００３０】
ついで、掛け渡し構台部１３を設置した段階で、図２に示すように、掛け渡し構台部１３の両側側に、作業者が移動するための足場板２０を開口部５上に掛け渡すように設置するとともに、この足場板２０を利用して作業者が掛け渡し構台部１３からスロープ構台部１５を建物Ｔの内側Ｔ２の床４に降ろす。そして、掛け渡し構台部１３の他端１３ｂとこのスロープ構台部１５の一端を突き合わすようにして、スロープ構台部１５を所定位置に配置する。
【００３１】
このとき、本実施形態においては、図２及び図１４に示すように、掛け渡し構台部１３の他端１３ｂ側にアウトリガー１７が伸ばされて張出しているため、このアウトリガー１７の先端（掛け渡し構台部１３の他端１３ｂ）に突き合わせるようにスロープ構台部１５を配置することになる。そして、掛け渡し構台部１３のガイド部材１３ｃの他端１３ｂと、スロープ構台部１５のガイド部材１５ａの一端とが、張出したアウトリガー１７によって離間され、互いの溝１３ｅ、１５ｂが繋がらない。このため、本実施形態では、アウトリガー１７上に補助具２１を設置し、この補助具２１に形成された溝２１ａを介して、掛け渡し構台部１３のガイド部材１３ｃとスロープ構台部１５のガイド部材１５ａの溝１３ｅ、１５ｂを連通させる。これにより、掛け渡し構台部１３の溝１３ｅの底面（上面）が、補助具２１及びスロープ構台部１５の溝２１ａ、１５ｂの底面（上面）を介して床面４ａに滑らかに繋げられる。
【００３２】
ついで、作業者が、足場板２０を利用して、上層階の主架構１２などに建物Ｔの外側Ｔ３に張出状態で設置したテルハクレーン３ｂのワイヤ３ｃを、掛け渡し構台部１３上のはね出し構台部１４に繋ぎ、このテルハクレーン３ｂによってはね出し構台部１４を建物Ｔの外側Ｔ３に吊り出して設置する。
【００３３】
このとき、図１４に示すように、はね出し構台部１４の作業台１４ｃの先端（はね出し構台部１４を設置した状態で建物Ｔの外側Ｔ３に配される一端）にワイヤ３ｃを繋げ、この作業台１４ｃの先端側を吊り上げるとともに、作業台１４ｃの後端側（はね出し構台部１４を設置した状態で建物Ｔの外周部Ｔ１側に配される他端側）に設けられた車輪１４ｅを掛け渡し構台部１３の溝１３ｅ内で移動（走行）させて、はね出し構台部１４を外側Ｔ３に吊り出してゆく。そして、ある程度はね出し構台部１４が外側Ｔ３に配された段階で、作業台１４ｃの先端を吊り下げて作業台１４ｃを水平に配置し、図１及び図２に示すように、作業台１４ｃの後端側を建物Ｔの外周部Ｔ１側の主架構１２に支持させるなどして、はね出し構台部１４を所定位置に設置する。
【００３４】
本実施形態においては、このようにはね出し構台部１４を設置した段階で、掛け渡し構台部１３の一端１３ａ側にアウトリガー１７が伸ばされて張出しているため、掛け渡し構台部１３のガイド部材１３ｃと、はね出し構台部１４のガイド部材１４ａとが、張出したアウトリガー１７によって離間される。このため、図１及び図２に示すように、張出したアウトリガー１７上に溝２２ａを有する補助具２２を設置し、この補助具２２の溝２２ａを介して掛け渡し構台部１３とはね出し構台部１４の互いの溝１３ｅ、１４ｂを連通させる。これにより、掛け渡し構台部１３とはね出し構台部１４とスロープ構台部１５の溝１３ｅ、１４ｂ、１５ｂが連通してガイド部１６が形成され、本実施形態の吊り出し構台１０の設置作業が完了する。
【００３５】
ついで、上記のように吊り出し構台１０を設置した段階（あるいはこの前段）で、工事用エレベータによって吊り出し階Ｆ１に搬送したラックからアルミカーテンウォール１を１枚ずつ取り出し、横倒し状態で搬送台車１１に載せるとともにファスナー金物などを取り付ける。なお、本実施形態では、図１に示すように、アルミカーテンウォール１の先端側（上端１ａ側）と後端側（下端１ｂ側）とがそれぞれ１つずつの搬送台車１１に上載されて、アルミカーテンウォール１をこれら２つの搬送台車１１で支持するようにしている。
【００３６】
ついで、アルミカーテンウォール１を上載した搬送台車１１を、スロープ構台部１５に向けて建物Ｔの内側Ｔ２の床４上で走行させ、車輪１１ｂをスロープ構台部１５の溝１５ｂ（ガイド部１６）に係合させるとともに、この溝１５ｂに沿って搬送台車１１を走行させてスロープ構台部１５から掛け渡し構台部１３上に移動させる。このとき、スロープ構台部１５によって掛け渡し構台部１３と建物Ｔの床面４ａが滑らかに繋がっているため、搬送台車１１ひいてはアルミカーテンウォール１が、容易に且つ効率的に掛け渡し構台部１３（吊り出し構台１０）上に配置される。また、アルミカーテンウォール１の上端１ａ側を支持する搬送台車１１は、掛け渡し構台部１３からはね出し構台部１４まで走行し、これにより、アルミカーテンウォール１は、図１５に示すように、その上端１ａ側が建物Ｔの外側Ｔ３に突出した状態で吊り出し構台１０上に配置される。
【００３７】
ついで、図１５に示すように、上層階に設置したテルハクレーン３ｂのワイヤ３ｃをアルミカーテンウォール１の上端１ａ側に繋ぎ、テルハクレーン３ｂで上端１ａ側を吊り上げながら建物Ｔの外側Ｔ３にアルミカーテンウォール１を吊り出してゆく。また、足場板２０やはね出し構台部１４の作業台１４ｃ上に乗った作業者が適宜アルミカーテンウォール１を支えながら建物Ｔの外側Ｔ３に吊り出してゆく。
【００３８】
このとき、上端１ａ側を吊り上げてアルミカーテンウォール１を垂直に立てるように徐々に傾斜させるとともに下端１ｂ側が搬送台車１１（横倒し状態のアルミカーテンウォール１の後端（下端１ｂ）側を支持した搬送台車１１ａ）で支持され、この搬送台車１１ａがアルミカーテンウォール１の傾斜に応じて順次建物Ｔの外周部Ｔ１側に移動（走行）することで、アルミカーテンウォール１が建物Ｔの外側Ｔ３に吊り出されてゆく。また、吊り出し構台１０に設けられたガイド部１６に案内されて搬送台車１１ａが移動することで、確実に所定の方向（吊り出し方向Ｍ）にアルミカーテンウォール１が吊り出されてゆく。そして、搬送台車１１ａが外周部Ｔ１近傍まで移動した段階で、アルミカーテンウォール１は、完全に建物Ｔの外側Ｔ３に吊り出され、外周部（外周面）Ｔ１に沿って垂直に吊り下げられる。このように吊り出したアルミカーテンウォール１は、テルハクレーン３ｂによって所定位置に配置されるとともにファスナー金物などで建物Ｔの外周部Ｔ１に固定し設置される。
【００３９】
なお、建物Ｔの外壁面を形成するアルミカーテンウォール１の一面１ｃに傷などが生じることを防止するために、本実施形態では、この一面１ｃを上方に向けて搬送台車１１に上載している。このため、上記のようにテルハクレーン３ｂで建物Ｔの外側Ｔ３に吊り出した場合には、図１５に示すように、一面１ｃが建物Ｔの外周部Ｔ１側を向いた状態でアルミカーテンウォール１が吊り出されることになるが、本実施形態では、はね出し構台部１４に乗った作業者が、吊り出したアルミカーテンウォール１を反転させることで、容易にアルミカーテンウォール１の向きが合わされる。
【００４０】
したがって、本実施形態のカーテンウォール吊り出し装置Ａにおいては、建物Ｔの外周部Ｔ１側の床４に形成された開口部５上に吊り出し構台１０を掛け渡し、この吊り出し構台１０上を、アルミカーテンウォール１を上載した搬送台車１１が走行することで、アルミカーテンウォール１を建物Ｔの内側Ｔ２から外側Ｔ３に向けて容易に搬送することができる。また、このとき、搬送台車１１に横倒し状態でアルミカーテンウォール１を上載し、建物Ｔの上層階に設置したテルハクレーン３ｂで上端１ａ側を吊り上げて徐々に傾斜させるとともに、下端１ｂ側を搬送台車１１（１１ａ）で支持しながら順次外周部Ｔ１側に搬送台車１１（１１ａ）を移動させることで、確実にアルミカーテンウォール１を建物Ｔの外側Ｔ３に吊り出すことができる。
【００４１】
また、吊り出し構台１０にガイド部１６が設けられていることによって、このガイド部１６に沿って搬送台車１１ひいてはアルミカーテンウォール１を移動させることができ、確実に建物Ｔの内側Ｔ２から外側Ｔ３に向けた所望の方向（掛け渡し方向Ｍ、吊り出し方向）に、安定した状態で且つ確実にアルミカーテンウォール１を吊り出すことができる。
【００４２】
さらに、吊り出し構台１０にスロープ構台部１５が設けられていることによって、建物Ｔの内側Ｔ２でアルミカーテンウォール１を搬送台車１１に載せ、この搬送台車１１を建物Ｔの床４からスロープ構台部１５を介して円滑に吊り出し構台１０上に移動させる（配置する）ことができる。これにより、容易に且つ効率的にアルミカーテンウォール１の吊り出し作業を行うことが可能になる。
【００４３】
また、掛け渡し構台部１３にアウトリガー１７が設けられていることによって、このアウトリガー１７を縮めて掛け渡し構台部１３の全長を小さくした状態で開口部５上に配置することができ、吊り出し構台１０の取扱性を向上させることができるとともに、アウトリガー１７を伸ばして建物Ｔに支持させることで、掛け渡し構台部１３（吊り出し構台１０）を開口部５上に掛け渡して設置することができ、効率的に吊り出し構台１０の設置を行うことが可能になる。そして、このようなアウトリガー１７を備えることにより、例えば幅（掛け渡し方向Ｍの幅）が異なる開口部５にアウトリガー１７の延出長（伸長量）を調整することで柔軟に対応することが可能になり、確実に安定した状態で吊り出し構台１０（掛け渡し構台部１３）を設置できる。
【００４４】
よって、本実施形態のカーテンウォール吊り出し装置Ａによれば、建物Ｔの床４の外周部Ｔ１側に例えばエレベータシャフト部などの開口部５が形成されている場合においても、確実に且つ効率的にアルミカーテンウォール１を建物の外側Ｔ３に吊り出すことができ、従来のように大掛かりな設備を要することなくアルミカーテンウォール１を吊り出して設置することができるため、施工性や経済性の向上を図ることが可能になる。
【００４５】
以上、本発明に係るカーテンウォール吊り出し装置の一実施形態について説明したが、本発明は上記の一実施形態に限定されるものではなく、その趣旨を逸脱しない範囲で適宜変更可能である。例えば、本実施形態では、カーテンウォールがアルミカーテンウォール１であるものとして説明を行ったが、本発明は、アルミニウム製以外のカーテンウォールの吊り出し作業に適用されてもよい。
【００４６】
また、本実施形態では、掛け渡し構台部１３やスロープ構台部１５が、ガイド部材１３ｃ、１５ａと連結部材１３ｄ、１５ｃとにより格子枠状に形成されているものとしたが、例えば平面視矩形盤状に形成されていてもよく、この場合、上面から下面に向けて凹み、一端から他端まで延びる溝（ガイド部１６）を形成することで、本実施形態と同様の効果を得ることができる。さらに、これに関連して、ガイド部１６は、搬送台車１１を所望の方向に案内することができれば特に溝１３ｅ、１４ｂ、１５ｂに限定する必要はない。また、吊り出し構台１０には、必ずしもガイド部１６が備えられていなくてもよく、搬送台車１１の走行方向（移動方向）を例えば作業者が制御しながらアルミカーテンウォール１を吊り出すようにしてもよい。
【００４７】
また、本実施形態では、吊り出し構台１０にスロープ構台部１５が備えられ、このスロープ構台部１５によって搬送台車１１ひいてはアルミカーテンウォール１を容易に且つ効率的に吊り出し構台１０上に配置できるとしたが、例えば予め吊り出し構台１０上に配置した搬送台車１１にアルミカーテンウォールを上載するようにした場合には、スロープ構台部１５を設ける必要はない。
【００４８】
さらに、本実施形態では、掛け渡し構台部１３の一端１３ａ側と他端１３ｂ側の両端側にそれぞれ伸縮自在のアウトリガー１７が設けられているものとしたが、一方の端部にのみ伸縮自在のアウトリガー１７を設けるようにしてもよい。この場合においても、一方の端部に設けたアウトリガー１７を伸長させることで、掛け渡し構台部１３の掛け渡し方向Ｍの長さを調整することができるため、本実施形態と同様の効果を得ることができる。
【００４９】
また、アウトリガーは、例えば図１６に示すように、掛け渡し構台部１３のガイド部材１３ｃなどに一端側が繋がり、この一端側を中心に水平方向に回転して張出す回転式のアウトリガー３０であってもよい。そして、このような回転式のアウトリガー３０を採用した場合には、ガイド部材１３ｃと平行に収めた状態で掛け渡し構台部１３を搬送することで吊り出し構台１０の取扱性を向上させることができ、回転させて張出したアウトリガー３０を建物Ｔの外周部Ｔ１側の主架構１２や建物Ｔの内側Ｔ２の床４などに支持させることで安定して掛け渡し構台部１３を設置することができる。さらに、このような回転式のアウトリガー３０を採用することで、本実施形態に示した伸縮式のアウトリガー１７に対し、掛け渡し構台部１３の延設方向Ｍ外側にアウトリガー３０が張出すことがないため、掛け渡し構台部１３の溝１３ｅと、はね出し構台部１４やスロープ構台部１５の溝１４ｂ、１５ｂを連通させるための図２に示した補助具２１、２２を不要にできる。また、このように掛け渡し構台部１３の延設方向Ｍ外側にアウトリガー３０の張出をなくすことで、はね出し構台部１４やスロープ構台部１５を掛け渡し構台部１３と一体にして吊り出し構台１０を形成することも可能になる。なお、図１６に示した回転式のアウトリガー３０は、回転しつつその延設方向（水平方向）に伸縮するように構成してもよい。
【００５０】
さらに、本実施形態では、掛け渡し構台部１３を設置した段階で、掛け渡し構台部１３の両側側に、作業者が移動するための足場板２０（図２）を開口部５上に掛け渡すように設置するものとしたが、例えば掛け渡し構台部１３（吊り出し構台１０）の両側側あるいは一側側に足場板２０を一体に取り付けて、掛け渡し構台部１３（吊り出し構台１０）を構成するようにしてもよい。この場合には、掛け渡し構台部１３を開口部５上に掛け渡して設置すると同時に、作業者が移動する足場を形成することができる。
【図面の簡単な説明】
【００５１】
【図１】本発明の一実施形態に係るカーテンウォール吊り出し装置を示す図である。
【図２】本発明の一実施形態に係るカーテンウォール吊り出し装置の吊り出し構台を示す図１のＸ１−Ｘ１線矢視図である。
【図３】本発明の一実施形態に係るカーテンウォール吊り出し装置の吊り出し構台の掛け渡し構台部を示す平面図である。
【図４】図３のＸ１−Ｘ１線矢視図である。
【図５】図３のＸ２−Ｘ２線矢視図である。
【図６】本発明の一実施形態に係るカーテンウォール吊り出し装置の吊り出し構台のはね出し構台部を示す平面図である。
【図７】図６のＸ１−Ｘ１線矢視図である。
【図８】本発明の一実施形態に係るカーテンウォール吊り出し装置の吊り出し構台のスロープ構台部を示す平面図である。
【図９】図８のＸ１−Ｘ１線矢視図である。
【図１０】本発明の一実施形態に係るカーテンウォール吊り出し装置の搬送台車を示す平面図である。
【図１１】図１０のＸ１−Ｘ１線矢視図である。
【図１２】本発明の一実施形態に係るカーテンウォール吊り出し装置の吊り出し構台を建物の開口部上に配置した状態を示す図である。
【図１３】本発明の一実施形態に係るカーテンウォール吊り出し装置の吊り出し構台の掛け渡し構台を建物の開口部上に掛け渡して設置した状態を示す図である。
【図１４】本発明の一実施形態に係るカーテンウォール吊り出し装置の吊り出し構台のスロープ構台部を設置し、はね出し構台部を建物の外側に吊り出している状態を示す図である。
【図１５】本発明の一実施形態に係るカーテンウォール吊り出し装置を用いて、アルミカーテンウォールを建物の外側に吊り出している状態を示す図である。
【図１６】本発明の一実施形態に係るカーテンウォール吊り出し装置の吊り出し構台（掛け渡し構台部）の変形例を示す平面図である。
【図１７】従来のミニクレーンを用いたアルミカーテンウォールの吊り出し作業を示す図である。
【図１８】建物の床の外周部側に形成された開口部によってアルミカーテンウォールの吊り出し作業が行えない状態を示す図である。
【図１９】従来のテルハクレーンを用いたアルミカーテンウォールの吊り出し作業を示す図である。
【符号の説明】
【００５２】
１      アルミカーテンウォール（カーテンウォール）
１ａ    上端（先端）
１ｂ    下端（後端）
３      揚重機
３ａ    ミニクレーン
３ｂ    テルハクレーン
４      床
４ａ    床面
５      開口部
１０    吊り出し構台
１１    搬送台車
１２    主架構
１３    掛け渡し構台部
１３ａ  一端
１３ｂ  他端
１３ｃ  ガイド部材
１３ｅ  溝
１４    はね出し構台部
１４ａ  ガイド部材
１４ｂ  溝
１５    スロープ構台部
１５ａ  ガイド部材
１５ｂ  溝
１６    ガイド部
１７    アウトリガー
２０    足場板
２１    補助具
２１ａ  溝
２２    補助具
２２ａ  溝
３０    アウトリガー
Ａ      カーテンウォール吊り出し装置
Ｆ１    吊り出し階
Ｆ２    上層階
Ｍ      掛け渡し方向（延設方向）
Ｔ      建物
Ｔ１    外周部
Ｔ２    内側
Ｔ３    外側
【図１】
2008280708.tif 000003
【図２】
2008280708.tif 000004
【図３】
2008280708.tif 000005
【図４】
2008280708.tif 000006
【図５】
2008280708.tif 000007
【図６】
2008280708.tif 000008
【図７】
2008280708.tif 000009
【図８】
2008280708.tif 000010
【図９】
2008280708.tif 000011
【図１０】
2008280708.tif 000012
【図１１】
2008280708.tif 000013
【図１２】
2008280708.tif 000014
【図１３】
2008280708.tif 000015
【図１４】
2008280708.tif 000016
【図１５】
2008280708.tif 000017
【図１６】
2008280708.tif 000018
【図１７】
2008280708.tif 000019
【図１８】
2008280708.tif 000020
【図１９】
2008280708.tif 000021